(57)【要約】【課題】外観品位が良く、組み立て性に優れた安全性が高いコンパクト丸型蛍光ランプを得ること。【解決手段】一連の放電路が略円形で平面状の発光面をなすように形成された２重渦巻型の発光管と、前記発光管の中央部を横切るように配置され、中央部に口金が、両端部に発光管保持部がそれぞれ設けられた支持部材とを備え、前記口金は、発光管と正接しない支持部材表面側から突出した４本の電源接続端子を有し、前記発光管保持部は発光管端部を収容する空間を有し、口金から２つの発光管保持部に至る支持部材本体には、一端が1本の電源接続端子に繋がり、他端が発光管保持部の空間に臨んだ端子結合部材が２本ずつ合計4本設けられ、前記２つの発光管保持部の空間においては、発光管端部の電極リード線が端子結合部材端部に結合されている。【選択図】図２
2007273332.tif 000002
【特許請求の範囲】
【請求項１】
一連の放電路が略円形で平面状の発光面をなすように形成された２重渦巻型の発光管と、
前記発光管の中央部を横切るように配置され、中央部に口金が、両端部に発光管保持部がそれぞれ設けられた支持部材と、
を備え、
前記口金は、４本の電源接続端子を有し、
前記発光管保持部は発光管端部を収容する空間を有し、
前記口金から２つの前記発光管保持部に至る支持部材本体には、一端が1本の前記電源接続端子に繋がり、他端が前記発光管保持部の空間に臨んだ端子結合部材が２本ずつ合計4本設けられ、
前記２つの発光管保持部の空間においては、発光管端部の電極リード線が端子結合部材端部に結合されている
ことを特徴とする蛍光ランプ。
【請求項２】
前記端子結合部材は導電性材料からなり、前記支持部材は絶縁性材料からなるとともに、前記端子結合部材は前記支持部材の内部に一体成型加工によって配置されたことを特徴とする請求項１記載の蛍光ランプ。
【請求項３】
前記発光管保持部の２つの空間で、前記支持部材から露出した前記端子結合部材の先端部には、それぞれ前記電極リード線を保持するためのスリットが刻設され、前記電極リード線が接続・固定されてなることを特徴とする請求項1及び請求項２記載の蛍光ランプ。
【請求項４】
前記口金部の電源接続端子と同様の形状を、前記端子結合部材の一端に形成し、当該一端を前記口金部の所定の位置に配置したことを特徴とする請求項1〜3のいずれかに記載の蛍光ランプ。
【請求項５】
全ての端子結合部材の前記電源接続端子側の4つの端部が筒形に形成され、その筒内側が開放された状態で、前記口金内に設置され、４つの筒内側に、前記4つの電源接続端子がそれぞれ圧入固定されていることを特徴とする請求項1〜4のいずれかに記載の蛍光ランプ。
【発明の詳細な説明】
【技術分野】
【０００１】
本発明は、一連の放電路が略円形で平面状の発光面をなすように形成された２重渦巻形発光管を備えた蛍光ランプに関する。
【背景技術】
【０００２】
地球環境保全のための省エネルギー及び省資源の時代を迎えて、近年は照明分野においても低効率の白熱電球や比較的大形の従来蛍光ランプを代替する省エネ・省資源光源として種々のコンパクト形蛍光ランプが開発・展開されてきた。
コンパクト形蛍光ランプの一種として、図８に示すように、一連の放電路が略円錐面上を２重螺旋形状に旋回された発光管１１０を備えた蛍光ランプ１００が開示されている（例えば、特許文献１参照）。この蛍光ランプ１００は、いわゆる片口金タイプであって、発光管１１０の管両端部１１１a，１１１bが一個の口金１４０付きの保持部材１２０に保持されるとともに、前記管両端部に封着された電極リード線（不図示）が前記口金１４０の電源接続端子に接続されている。
【０００３】
一方、図９に示すように、一連の放電路が略一平面上で２重渦巻形状に旋回された発光管２１０を備えた蛍光ランプ２００も開示されている（例えば、特許文献２参照）。この蛍光ランプ２００は、いわゆる両口金タイプであって、発光管２１０の管両端２１１a、２１１bに一対の電源接続端子を有する口金２４０a、２４０bが装着されている。両口金タイプの特長は、発光管２１０の外形が略円盤形状をなすいわゆる面光源であって、発光管２１０の外形が略円錐形状の前記蛍光ランプ１００よりも薄形であることである。従って、灯具を薄く設計することができ、天井や壁にいわゆる直付けのダウンライトやウオールライト用の光源として好適である。また、蛍光ランプ２００は、略円形の発光面を有するため被照射面の配光分布が好ましく、殊に店舗や住宅の照明用として好適である。
【特許文献１】EU意匠２５８６１−０００５
【特許文献２】特開平９−４５２８３号公報
【発明の開示】
【発明が解決しようとする課題】
【０００４】
ところで、従来技術による片口金タイプの前記蛍光ランプ１００（図８）について試作を行ったところ、前記口金部分の電源接続端子と発光管の電極リード線を結合する手段として、保持部材を上下2分割し、その中に前記電極リード線を這設していたため、発光管ランプ組み立ては比較的面倒な作業であって時間がかかる上に、組み立て時における保持部材の上下部材間で前記電極リード線を挟んでしまうことが多々あり、外観品質を低下させることになる。また特に、組み立て作業時に機械的強度が比較的小さい細くて肉薄のガラスからなる発光管１１０に余分な力が加わり、特に最も強度が弱い管両端部１１１ａ、１１１ｂ付近で発光管破損が起こりうることがわかった。
【０００５】
一方、両口金タイプの前記蛍光ランプ２００（図９）について試作を行った結果、前記電源接続端子部分が２箇所で単独に設置されていることから、発光管ランプ組み立ては比較的面倒な作業であって時間がかかるとともに、片口金タイプと同様に外観品質の低下や、前記発光管の破損が起こりうることがわかった。
本発明は、以上の状況に鑑みてなされたものであり、一連の放電路が略円形で平面状の発光面をなすように形成された２重渦巻形発光管を備えた蛍光ランプにおいて、前記電極リード線を挟む外観不良を根絶し、組み立てが容易に出来るとともにランプを組み立てる際に発生していた発光管の破損を確実に防止できる手段を見出し、これにより外観品位が良く、組み立て性に優れた安全性が高い蛍光ランプを提供することを目的とする。
【課題を解決するための手段】
【０００６】
請求項１記載の発明にかかる蛍光ランプは、一連の放電路が略円形で平面状の発光面をなすように形成された２重渦巻型の発光管と、前記発光管の中央部を横切るように配置され、中央部に口金が、両端部に発光管保持部がそれぞれ設けられた支持部材と、
を備え、前記口金は、４本の電源接続端子を有し、前記発光管保持部は発光管端部を収容する空間を有し、前記口金から２つの前記発光管保持部に至る支持部材本体には、一端が1本の前記電源接続端子に繋がり、他端が前記発光管保持部の空間に臨んだ端子結合部材が２本ずつ合計4本設けられ、前記２つの発光管保持部の空間においては、発光管端部の電極リード線が端子結合部材端部に結合されていることを特徴としている。
【０００７】
請求項２記載の発明は、前記端子結合部材が導電性材料からなり、前記支持部材が絶縁性材料からなるとともに、前記端子結合部材は前記支持部材の内部に一体成型加工によって配置されたことを特徴としている。
請求項3記載の発明は、前記発光管保持部の２つの空間で、前記支持部材から露出した前記端子結合部材の先端部には、それぞれ前記電極リード線を保持するためのスリットが刻設され、前記電極リード線が接続・固定されてなることを特徴としている。
【０００８】
請求項4記載の発明は、前記口金部の電源接続端子と同様の形状を、前記端子結合部材の一端に形成し、当該一端を前記口金部の所定の位置に配置したことを特徴としている。
請求項5記載の発明は、全ての端子結合部材の前記電源接続端子側の4つの端部が筒形に形成され、その筒内側が開放された状態で、前記口金内に設置され、４つの筒内側に、前記4つの電源接続端子がそれぞれ圧入固定されていることを特徴としている。
【発明の効果】
【０００９】
本発明は、請求項１および請求項２〜４記載の構成により、前記コンパクト丸形蛍光ランプの組み立てが容易にでき、電極リード線を挟む外観不良を根絶するとともに、ランプを組み立てる際に発生していた発光管の破損を確実に防ぎ、これにより外観性に優れ、安全性が高くて組み立て性の良いコンパクト丸形蛍光ランプを提供することができる。
【発明を実施するための最良の形態】
【００１０】
以下、本発明に係るコンパクト丸形蛍光ランプの実施の形態について、図面を参照しながら説明する。
本実施の形態に係るコンパクト丸形蛍光ランプは大きく分けて２つの部分からなる。すなわち、発光管および支持部材である。
（１）発光管
図１は、本発明の実施の形態である発光面が略円形の平面状をなす、例えば管入力８０Wのコンパクト丸形蛍光ランプの典型的な発光管構成を示す。発光管１０は、一連の屈曲ガラス管１２からなる放電路が管中央部１２ｃを中心として略一平面上で渦巻状に旋回された２重渦巻形状を有している。そして、略対向して離れた管端部１１a，１１bには、タングステンフィラメントコイル電極１３a、１３bをビーズガラスマウント１５a、１５bによりそれぞれ保持した一対の電極リード線１４a-１４a’、１４b-１４b’が気密封着されている。一方の管端部１１aには、併せて排気管１６（発光管排気後に、先端部封止）が封着されている。発光管１０の主要な内表面には、希土類蛍光体（不図示）が塗布され、また管内には５ｍｇの水銀１７のほかに、緩衝ガスとして約３５０ＰａのアルゴンＡｒが封入されている。
【００１１】
なお、上記発光管１０は、図1（ｂ）に示すように、特に管中央部１２Cが突出した凸形状で構成されており、ここにランプ点灯時における最冷点個所が形成されている。そして、最高領域のランプ効率を得るために、特に発光管１０の中央部１２ｃの凸形状は、最冷点温度が例えば発光管１０の主要部内径が４mm〜１８mmの設定に対して５０〜６５℃の範囲になるように設計されている。
【００１２】
２重渦巻形屈曲ガラス管１２の材料としてバリウム・ストロンチウムシリケートガラス（軟化点６７５℃の軟質ガラス）を用い、また希土類蛍光体として３種類の赤、緑及び青発光のY2O3:Eu、LaPO4:Ce,Tb及びBaMg2Al16O27:Eu,Mn蛍光体を混合したものを用いている。管内に封入される水銀１７は、水銀単体のほかに、例えば亜鉛水銀及び錫水銀や、更にはビスマス・インジウム水銀などのアマルガムの形態で封入されてもよく、また緩衝ガスとしてアルゴン、ネオン、クリプトン等の混合ガスが封入されてもよい。
【００１３】
（２）支持部材
図２は、発光管１０に支持部材２０を組み付けたコンパクト丸形蛍光ランプ１の構成を示す図である。
図２に示されるように、発光管１０の管端部１１ａ、１１ｂは、支持部材２０の両端の発光管保持部材２５a、２５bに挿入されシリコン接着剤等で保持される。
【００１４】
支持部材２０は、発光管１０の一方側の発光面の中央を横切る状態で直径方向に配され、支持部材２０の中央部分には、発光管１０とは反対側の表面に、４つの電源接続端子ピンが突出した口金４０（ＪＩＳ−ＧＵ１０ｑ型）が設けられている。
支持部材２０の中央部であって、前記口金４０が設けられている表面と反対側表面からは、保持取手２７ａ、２７ｂが立設され、先端が図（a）に示すように発光管１０の他方の発光面を超えて延びている。保持取手２７ａ、２７ｂはランプ口金４０を灯具ソケットに着脱する際に作業者が把持するのに用いられる。
【００１５】
支持部材２０には、中央部付近の両側から両端部付近に至る箇所に長孔２０ａ、２０ｂが設けられており、長孔２０ａ、２０ｂには発光管キャッチャ４６、４６が装着されている。発光管キャッチャ４６、４６は先端が二股状に開脚していて、発光管１を狭持保持する（図（a）参照）。また、発光管キャッチャ４６、４６は長孔２０ａ、２０ｂに沿って長手方向に滑動することができ、巻き数や巻きピッチの異なる発光管に対しても位置調整により適合するようになっている。
【００１６】
（３）  支持部材２０構成部品
図３及び図７は、支持部材２０を構成する部品を示す図である。支持部材は、これらの図に見られるように下側部品２１と上側部品２２とを合体させた構成である。下側部品、上側部品とも絶縁性材料（本実施ではポリブチレンテレフタレート（ＰＢＴ）を使用）で作成されている。
【００１７】
下側部品２１は、図3（a）〜（ｃ）及び図７に示すように、内表面側中央に口金凸部４０a、左右両端の発光管保持部２５a、２５bに、発光管端部を収容する内部空間A1、A２を有している。また、外表面側中央には、前述した保持把手２７a、２７bが立設されている。中央部と両端の間の長尺の支持部材本体には、端子結合部材５２a、５２a’、５２b、５２b’が2本ずつ埋設されている。なお、この端子結合部材は、支持部材に載置するように設けても良いし、支持部材に一体成型加工されていても良い。
【００１８】
端子結合部材５２a、５２a’、５２b、５２b’は、図6に示すように長尺状の金属板で構成され、一端（口金側端部）には、中空筒状突起５２c、５２c’、５２d、５２d’が形成され、他端（発光管保持部側）にはスリット５０・・・・が形成されている。
前記中空筒状突起５２a、５２a’、５２b、５２b’は、図７に示すように下側部品の口金凸部４０a内に埋設されている。スリット５０・・・が形成された端部は、図3（ｃ）、図4及び図７に示すように空間A１、A２に突出している。
【００１９】
上側部品２２は、図3（ｄ）〜（ｆ）及び図７に示すように、内表面側中央部に凹部４０ｂを有し、両端部に、空間A1、A２の上方を塞ぐ蓋部２２a、２２bを有している。前記凹部４０ｂは、下側部品の口金凸部４０aを受け入れるもので、下側部品と上側部品とを組み合わせた状態で図5に示す嵌合構造となる。また、凹部４０ｂには、４本のピン端子である電源接続端子５３a、５３a’、５３b、５３b’が挿入されるピン孔が形成されている。上側部品と下側部品とを組み合わせることによって、ピン孔に設けられた電源接続端子５３a、５３a’、５３b、５３b’の支持部材２０内の端部に、図５に見られるように端子結合部材の筒状突起５２c、５２c’、５２d、５２d’が圧入される。
なお、前記下側部品の口金凸部４０aの外周部には、図３、図5、図７に見られるように係合リブが、上側部品の凹部４０ｂには係合溝が形成され、また、両端部には、それぞれ相互に係合しあう爪状部材４１、４２が設けられ、両部品を合体させると強固に一体化するようにしてある。
【００２０】
端子結合部材５２a、５２a’、５２b、５２b’の一端のスリット５０・・・は、空間A1、A２内に突出しており、このスリット５０・・・に、発光管端部の電極リード１４a、１４a’、１４b、１４b’が差し込まれ、さらに端子結合部材周囲に巻き付け、半田付け等により電気的接続がなされている。
なお、本実施形態では、ピン孔に挿入された電源接続端子５３a・・・に筒状突起５２・・・を圧入させたが、筒状突起５２・・・が、電源接続端子５３a・・・として形成され、口金部の所定の位置すなわちピン孔に挿通して配置しても良い。
【００２１】
前記端子結合部材材５２a、５２a’、５２b、５２b’は、金属材としてりん青銅からなるのが望ましい。この場合において、上記例では、長尺な板状体を用いているが、棒状若しくはパイプ状の構造体を用いることも出来る。
以上のように、一連の放電路が略円形で平面状の発光面をなすように形成された２重渦巻形発光管を備えたコンパクト丸形蛍光ランプにおいて、上記本実施形態であるランプ構成を備えることにより、組み立てが容易にでき、電極リード線を挟む外観不良を根絶するとともに、ランプを組み立てる際に発生していた発光管の破損を確実に防ぎ、目的とする外観性に優れ、安全性が高くて組み立て性の良いコンパクト丸形蛍光ランプが容易に得られた。
【図面の簡単な説明】
【００２２】
【図１】本発明の実施の形態であるコンパクト丸形蛍光ランプの発光管構成図で、（a）は平面断面図、（ｂ）は側面図、
【図２】端子結合部材の電源接続端子部詳細図で、（a）は、発光面側から見た斜視図、（ｂ）は背面側から見た斜視図、
【図３】支持部材を構成する部品を示し、（a）は、下側部品の外側平面図、（ｂ）は同部品の側面断面図、（ｃ）は、同部品の内側平面図、（ｄ）は、上側部品の内側平面図、（e）は、同部品の側面断面図、（ｆ）は、同部品の外側平面図、
【図４】下側部品の端部を示す斜視図、
【図５】口金における下側部品と上側部品の嵌合構造を示す図、
【図６】一対の電極リード線部詳細図、
【図７】本発明の実施形態に係る支持部材の一部切欠き分解斜視図
【図８】従来技術による２重螺旋形発光管を備えた蛍光ランプで、（a）は、背面図、（ｂ）は発光面側から見た平面図、（ｃ）は、支持部材の長手方向を正面視する状態で見た側面図（ｄ）は（ｃ）と直行する方向から見た側面図
【図９】従来技術による２重渦巻形発光管を備えた蛍光ランプで、（a）は、平面図、（b）は、側面図、（c）は（ｂ）と直行する方向から見た側面図、
【符号の説明】
【００２３】
１  コンパクト丸形蛍光ランプ
１０  ２重渦巻形発光管
２０  支持部材
２１  下側部品
２２  上側部品
２５a、２５b  発光管保持部
４０  口金
５０  スリット
５２a、５２a’、５２b、５２b’  端子結合部材 
５３a、５３a’、５３b、５３b’  電源接続端子
【図１】
2007273332.tif 000003
【図２】
2007273332.tif 000004
【図３】
2007273332.tif 000005
【図４】
2007273332.tif 000006
【図５】
2007273332.tif 000007
【図６】
2007273332.tif 000008
【図７】
2007273332.tif 000009
【図８】
2007273332.tif 000010
【図９】
2007273332.tif 000011